(57)【要約】      （修正有）【課題】折り返した縁を良好にテープ裏面に接着させるテープ縁折り装置を提供する。【解決手段】テープロール１１０から引き出された粘着テープ１１４は、テンションローラ―１３０の下を潜って、折り曲げローラー１３２に送られる。そして、この折り曲げローラーの先端側において、粘着テープは、折り曲げガイド１３４に当たって縁部分が下方向に折り曲げられる。縁部分が折り曲げられた粘着テープは、傘状接着ローラー１３６の斜面ないし傘状面の上に載る。このとき、粘着テープの折り曲げ部は、抑えキャップ１３８によって前記傘上面からの浮き上がりが抑えられるとともに、テンションガイド１４０による下方向のテンションにより、前記傘状面に押し付けられるようになる。このため、粘着テープが良好に縁折りされて接着する。【選択図】図１
0003233258.tif 000002
【実用新案登録請求の範囲】
【請求項１】
テープホルダーに保持されたテープロールから引き出された粘着テープの縁を折るテープ縁折り装置であって、
前記粘着テープの縁を折り曲げる折り曲げ機構，
前記折り曲げた縁を前記粘着テープの粘着面に接着させる折り返し機構，
を備えており、
前記折り返し機構は傘状接着ローラーを備えており、
該傘状接着ローラーで、前記折り曲げた縁を折り返す際に、前記折り返し部分を抑える抑えキャップを設けたことを特徴とするテープ縁折り装置。
【請求項２】
前記テープホルダーが、幅の異なる粘着テープのテープロールを保持できる手段を備えたことを特徴とする請求項１記載のテープ縁折り装置。
【請求項３】
前記テープホルダーが、前記折り曲げ機構に対するテープロールの位置を変更する手段を備えたことを特徴とする請求項１又は２記載のテープ縁折り装置。
【考案の詳細な説明】
【技術分野】
【０００１】
本考案は、テープの縁を折るテープ縁折り装置の改良に関する。
【背景技術】
【０００２】
従来のテープ縁折り装置としては、下記特許文献１記載の「粘着テープの縁折曲装置」がある。これは、粘着テープの剥離の問題と、長尺使用の問題とを解決することを目的としたもので、粘着テープを繰出しガイドローラによって第１繰出し保持ローラに導き連接し、これと同一面に離隔して軸架される第２繰出し保持ローラに連接して張架し、第２繰出し保持ローラの回転で粘着テープを順次繰出し自在に設けると共に、粘着テープの繰出し位置と第１繰出し保持ローラの対応位置を規制して粘着テープの一端縁が第１繰出し保持ローラの一端縁より所要幅張り出し、この張り出し部分を第１繰出し保持ローラの一端縁に、回転方向が粘着テープの繰出し方向の側方折りガイドローラを回転自在に対設して下方に折り曲げ、かつ第１繰出し保持ローラと第２繰出し保持ローラの中間に、円錐型の中間下面側折りローラを配して、前記粘着テープの下方折曲縁を折曲して粘着テープの裏面に接着して第２繰出し保持ローラへ繰出すようにしたものである。
【先行技術文献】
【特許文献】
【０００３】
【特許文献１】特開２００１−１９９６２０号公報
【考案の概要】
【考案が解決しようとする課題】
【０００４】
しかしながら、上述した背景技術では、傘状の中間下面側折りローラによって、粘着テープの下方折曲縁を粘着テープの裏面に接着する際に、粘着テープの折曲縁が浮き上がってしまい、折曲縁をテープ裏面に良好に接着することができず、第２繰出し保持ローラ側に繰り出したときに、折り曲げた縁が元に戻ってしまう恐れがある。
【０００５】
加えて、粘着テープといっても各種の幅のものがあり、テープ幅が異なっていても縁折りができると好都合である。更に、テープ幅に対する折返し幅が可変できると更に好都合である。
【０００６】
本考案は、以上のような点に着目したもので、その目的は、折り返した縁を良好にテープ裏面に接着させることである。他の目的は、異なる幅のテープに対しても対応可能とすることである。更に他の目的は、折り返し幅を簡便に変更することである。
【課題を解決するための手段】
【０００７】
本考案は、テープホルダーに保持されたテープロールから引き出された粘着テープの縁を折るテープ縁折り装置であって、前記粘着テープの縁を折り曲げる折り曲げ機構，前記折り曲げた縁を前記粘着テープの粘着面に接着させる折り返し機構，を備えており、前記折り返し機構は傘状接着ローラーを備えており、該傘状接着ローラーで、前記折り曲げた縁を折り返す際に、前記折り返し部分を抑える抑えキャップを設けたことを特徴とする。
【０００８】
主要な形態の一つは、前記テープホルダーが、幅の異なる粘着テープのテープロールを保持できる手段を備えたことを特徴とする。他の形態の一つは、前記テープホルダーが、前記折り曲げ機構に対するテープロールの位置を変更する手段を備えたことを特徴とする。本考案の前記及び他の目的，特徴，利点は、以下の詳細な説明及び添付図面から明瞭になろう。
【考案の効果】
【０００９】
本考案によれば、粘着テープの縁を折り返して粘着面に接着する折り返し機構の傘状接着ローラーに抑えキャップを設けることとしたので、折り返した縁を良好に粘着面に接着させることができる。また、テープホルダーに対するテープロールの保持位置を変更できるようにすることで、異なるテープ幅のテープロールも対応でき、折返し幅も変更することができる。
【図面の簡単な説明】
【００１０】
【図１】本考案の一実施例のテープ縁折り装置の全体を示す斜視図である。
【図２】前記実施例の主要部を示す図である。(A)は図１の矢印Ｆ２方向から見た側面図であり、(B)は傘状接着ローラーによる折り返しの様子を示す図である。(C)及び(D)は背景技術の場合を示す図である。
【図３】(A)は前記実施例の平面の様子を示した図であり、(B)〜(D)はそれぞれ(A)の矢印Ｆ３Ｂ，Ｆ３Ｃ，Ｆ３Ｄ方向から見た様子を示す図である。(E)〜(H)は粘着テープの折幅を狭くした場合を示す図で、(E)は前記実施例の平面の様子を示した図であり、(F)〜(H)はそれぞれ(E)の矢印Ｆ３Ｆ，Ｆ３Ｇ，Ｆ３Ｈ方向から見た様子を示す図である。
【図４】粘着テープの幅が変化した場合を示す図である。(A)はテープ幅が比較的広く、(B)はテープ幅が比較的狭い場合である。
【考案を実施するための形態】
【００１１】
以下、本考案を実施するための最良の形態を、実施例に基づいて詳細に説明する。
【実施例１】
【００１２】
図１には、本考案の実施例１のテープ縁折り装置の全体が示されており、同図の矢印Ｆ２方向から見た様子が図２(A)に示されており、平面の様子が図３(A)に示されている。これらの図において、テープ縁折り装置１００は、適宜の間隔を置いて平行に設けられた一対の支持板１０，１２の間に、粘着テープが巻回されたテープホルダーやローラなどが設けられた構成となっている。支持板１０の下端は底板１４に連続しており、支持板１２の下端は底板１４の折り曲げ端に接着などの方法で固定されている。矢印Ｆ１方向から見ると、支持板１０，１２，底板１４が全体として略コ字状となっている。また、底板１４の上には、中間板１５が設けられている。中間板１５は、矢印Ｆ１方向から見るとクランク状となっており、ネジなどの手段で支持板１０，１２に固定されている。
【００１３】
テープ縁折り装置１００の後面側（背面側）には、テープロール１１０のテープホルダー１２０が設けられており、テープロール１１０のリール１１２の芯穴にテープホルダー１２０を挿入することで、テープロール１１０が回転可能に保持されている。また、テープホルダー１２０には、ストッパ１２２，１２４が設けられており、ネジ１２２Ａ，１２４Ａによって固定可能となっている。テープロール１１０は、ストッパ１２２，１２４に挟まれており、これらのストッパ１２２，１２４によって、テープホルダー１２０の軸方向におけるテープロール１１０の位置決めが行われている。テープホルダー１２０は支持板１０側に固定されており、支持板１２側の切欠き部１３からテープホルダー１２０に対してテープロール１１０を取り付けることができるようになっている。
【００１４】
テープロール１１０から引き出された粘着テープ１１４は、テンションローラ―１３０の下を潜って、折り曲げローラー１３２に送られるようになっている。折り曲げローラー１３２は、図示の例では支持板１２に立設された支柱１３３に回転自在に取り付けられており、粘着テープ１１４の粘着面に当たるのでスムースに粘着テープ１１４を送ることができるように、表面積が小さくなるように溝ないし凹凸が設けられている。
【００１５】
この折り曲げローラー１３２の先端には、折り曲げガイド１３４が中間板１５に立設されており、この折り曲げローラー１３２の回転軸方向と、折り曲げガイド１３４の長手方向は直交している。粘着テープ１１４は、その縁（図３(A)では左側の縁）が、折り曲げローラー１３２の先端からはみ出るようになっており、このはみ出した縁部分が、折り曲げガイド１３４に当たって下方向に折り曲げられるようになっている。これら折り曲げローラー１３２と折り曲げガイド１３４によって折り曲げ機構が構成されている。
【００１６】
折り曲げローラー１３２のテープ送り先には、傘状接着ローラー１３６が設けられている。この傘状接着ローラー１３６は、中間板１５に立設された支柱１３７に回転自在に設けられており、この傘状接着ローラー１３６によって、粘着テープ１１４の折り曲げ部位がその粘着側に折り返して接着されるようになっている。以上の粘着テープ１１４の縁部分の折り曲げや、折り曲げ部位の接着の作用は、上述した背景技術と同様である。
【００１７】
本実施例では、傘状接着ローラー１３６の上に、抑えキャップ１３８が設けられている。粘着テープ１１４の折り曲げ部分は、図２(B)に前記矢印Ｆ１方向から見た様子を示すように、傘状接着ローラー１３６と抑えキャップ１３８との間の隙間に入り込むようになっている。傘状接着ローラー１３６のテープ送り先には、テンションガイド１４０が設けられている。テンションガイド１４０は、粘着テープ１１４の折り曲げ部分が傘状接着ローラー１３６の傘状の面に当たるように、粘着テープ１１４に対して下方向にテンションを掛けるためのもので、その支柱１４１は支持板１０に固定されている。なお、テンションガイド１４０を支柱１４１に対してスライド可能に取り付けてもよい。これら傘状接着ローラー１３６，抑えキャップ１３８，テンションガイド１４０によって、折り返し機構が構成されている。
【００１８】
縁折りされた粘着テープ１１４は、テープ縁折り装置１００の前面側（正面側）のカッター１４２に延長されている。テンションガイド１４０とカッター１４２との間には、作業者が指を入れられるような空間１４４が形成されており、この空間１４４を粘着テープ１１４が渡ってカッター１４２に達している。
【００１９】
次に、図２(B)及び図３(B)〜(D)も参照しながら、本実施例の作用を説明する。図３(A)の矢印Ｆ３Ｂ，Ｆ３Ｃ，Ｆ３Ｄの方向に見た様子が図３(B)〜(D)にそれぞれ示されている。図２(B)は図３(C)と同じである。テープホルダー１２０に回転可能に保持されたテープロール１１０からは、粘着面が下側となるように、粘着テープ１１４が引き出される。引き出された粘着テープ１１４は、テンションローラ―１３０の下を潜って、折り曲げローラー１３２に送られる。そして、この折り曲げローラー１３２の先端側において、粘着テープ１１４は、折り曲げガイド１３４に当たって縁部分が下方向に折り曲げられる（図３(B)参照）。
【００２０】
縁部分が折り曲げられた粘着テープ１１４は、傘状接着ローラー１３６の斜面ないし傘状面に当たるようになる。粘着テープ１１４の折り曲げ部は、抑えキャップ１３８によって前記傘上面からの浮き上がりが抑えられるとともに、テンションガイド１４０による下方向のテンションにより、前記傘状面に押し付けられるようになる（図２(B)ないし図３(C)参照）。折り返し部分は、テンションガイド１４０によって粘着テープ１１４の粘着面に押し付けられ、粘着テープ１１４は良好に縁折りされる（図３(D)参照）。同図の例では、折返し幅はＷＲ１である。
【００２１】
縁折りされた粘着テープ１１４は、更に引き出されてカッター１４２に達し、ここで粘着面が仮止めされる。縁折りされた粘着テープ１１４を使用するとき、作業者は、空間１４４に指を入れて粘着テープ１１４を引っ張り、所望の長さでカッター１４２で切断する。
【００２２】
以上のように、本実施例によれば、傘状接着ローラー１３６に抑えキャップ１３８を設けるとともに、テンションガイド１４０によって下方向のテンションを粘着テープ１１４に掛けるようにして、傘状接着ローラー１３６の傾斜面に粘着テープ１１４の折り返し部分を押し付けるようにしたので、粘着テープ１１４の折り返した縁部分をテープ裏面に良好に接着させることができる。
【００２３】
なお、上述した背景技術では、図２(C)に示すように、抑えキャップ１３８がない。このため、同図(D)に示すように、粘着テープ１１４の折り曲げ部分が傘状接着ローラー１３６から浮き上がってしまい、良好に粘着テープ１１４の裏面側に折り返すことができない。
【実施例２】
【００２４】
次に、図３(E)〜(H)を参照しながら、本考案の実施例２について説明する。本実施例は、粘着テープ１１４の折返し幅を変更するの例である。上述したように、テープロール１１０は、テープホルダー１２０に取り付けられ、ストッパ１２２，１２４によって、テープホルダー１２０に対する位置決め（図３の左右方向の位置決め）が行われている。
【００２５】
ここで、粘着テープ１１４の折返し幅を狭くする場合は、同図(E)に示すように、ストッパ１２２，１２４を同図(E)の矢印Ｆ３方向に移動し、支持板１２の方向にテープロール１１０を移動して位置決めする。すると、折り曲げローラー１３２及び折り曲げガイド１３４による折り曲げ幅は同図(F)に示すようになり、これが同図(G)に示すようにテープ裏側に折り曲げられて、同図(H)に示すように縁折りされる。粘着テープ１１４の折返し幅を比較すると、図３(A)ではＷＲ１となっており、同図(E)ではＷＲ２となっており、ＷＲ１＞ＷＲ２である。このように、本実施例によれば、テープホルダー１２０に対するテープロール１１０の取付位置を変更するだけで、粘着テープ１１４の折返し幅を簡単に変更することができる。
【実施例３】
【００２６】
次に、図４を参照しながら、本考案の実施例３について説明する。本実施例は、粘着テープ１１４の幅が異なる場合の例である。上述したように、テープロール１１０は、テープホルダー１２０に取り付けられ、ストッパ１２２，１２４によって、テープホルダー１２０の中心軸方向（図３，図４の左右方向）における位置決めが行われている。ここで、粘着テープ１１０の折返し幅ＷＲを一定とする場合、テープ幅ＷＡが広いテープロール１１０Ａの場合は同図(A)に示すように位置決めし、テープ幅ＷＢが狭いテープロール１１０Ｂの場合は同図(B)に示すように位置決めする。
【００２７】
すなわち、ストッパ１２２は、折返し幅ＷＲに対応する位置となっており、同図(A)，(B)で同じ位置となっている。これに対し、ストッパ１２４は、テープ幅ＷＡ，ＷＢに対応する位置となっており、同図(A)におけるストッパ１２２，１２４の間隔はテープロール１１０Ａの幅ＷＡに対応しており、同図(B)におけるストッパ１２２，１２４の間隔はテープロール１１０Ｂの幅ＷＢに対応している。すなわち、ストッパ１２４は、同図(A)よりも(B)のほうが矢印Ｆ４方向に移動した位置となっている。本実施例によれば、テープロール１１０Ａ，１１０Ｂの幅が異なっていても、折返し幅を同一にすることができる。なお、ストッパ１２２の位置を変更することで、折返し幅ＷＲを変更することもできる。
【００２８】
＜他の実施例＞  なお、本考案は、上述した実施例に限定されるものではなく、本考案の要旨を逸脱しない範囲内において種々変更を加えることができる。例えば、以下のものも含まれる。
(1)前記実施例に示した各部の形状や寸法は一例であり、同様の作用を奏するように適宜変更してよい。
(2)前記実施例の図３及び図４を組み合わせれば、テープロール１１０の幅と、粘着テープ１１４の折返し幅の両方を変更することができる。
(3)前記実施例では、粘着テープ１１４の一方の縁を折り返すようにしたが、縁の両方を折り返すことを妨げるものではない。両方を折り曲げる場合は、粘着テープ１１４の両縁に、折り曲げローラー１３２，折り曲げガイド１３４，傘状接着ローラー１３６，抑えキャップ１３８を設けるようにすればよい。
(4)本考案の縁折りテープは、例えば、梱包用・包装用など、各種の用途のテープに適用してよい。特に、縁折りしたマスキングテープは、貼っている箇所も分かり、剥がしたり再度貼り付けたりができて、好都合である。
【産業上の利用可能性】
【００２９】
本考案によれば、粘着テープの縁を折り返して粘着面に接着する折り返し機構の傘状接着ローラーに抑えキャップを設けることとしたので、折り返した縁を良好に粘着面に接着させることができる。また、テープホルダーに対するテープロールの保持位置を変更できるようにすることで、異なるテープ幅のテープロールにも対応でき、折返し幅も変更することができるので、各種のテープ縁折り装置に好適である。
【符号の説明】
【００３０】
１０，１２：支持板
１４：底板
１５：中間板
１００：テープ縁折り装置
１１０，１１０Ａ，１１０Ｂ：テープロール
１１２：リール
１１４：粘着テープ
１２０：テープホルダー
１２２，１２４：ストッパ
１２２Ａ，１２４Ａ：ネジ
１３０：テンションローラー
１３２：折り曲げローラー
１３３：支柱
１３４：折り曲げガイド
１３６：傘状接着ローラー
１３７：支柱
１３８：抑えキャップ
１４０：テンションガイド
１４１：支柱
１４２：カッター
１４４：空間
ＷＡ，ＷＢ：テープ幅，
ＷＲ，ＷＲ１，ＷＲ２：折返し幅
【図１】
0003233258.tif 000003
【図２】
0003233258.tif 000004
【図３】
0003233258.tif 000005
【図４】
0003233258.tif 000006